(57)【要約】【課題】一対のコネクタで、表示器の回転取り付けを可能としたフィールド機器を実現する。【解決手段】表示器が搭載される回転可能な第１基板に設けられた第１コネクタと、筐体側に固定配置されると共に前記第１コネクタと電気的に接続される第２コネクタが設けられた第２基板を具備するフィールド機器において、  前記第１コネクタと前記第２コネクタは、前記第１基板と前記第２基板の中心部において対向配置され、前記第１基板の所定の回転角度に対して同一の電気的な接続関係を維持して接続される。【選択図】図１
2012058096.tif 000002
【特許請求の範囲】
【請求項１】
表示器が搭載される回転可能な第１基板に設けられた第１コネクタと、筐体側に固定配置されると共に前記第１コネクタと電気的に接続される第２コネクタが設けられた第２基板を具備するフィールド機器において、
前記第１コネクタと前記第２コネクタは、前記第１基板と前記第２基板の中心部において対向配置され、前記第１基板の所定の回転角度に対して同一の電気的な接続関係を維持して接続されることを特徴とするフィールド機器。
【請求項２】
前記第１コネクタと前記第２コネクタは、一方がオスコネクタで他方かメスコネクタであることを特徴とする請求項１に記載のフィールド機器。
【請求項３】
前記第１コネクタと前記第２コネクタは、前記第１基盤の９０度毎の回転に対して同一電気接続されることを特徴とする請求項１または２に記載のフィールド機器。
【発明の詳細な説明】
【技術分野】
【０００１】
本発明は、表示器が搭載される回転可能な第１基板に設けられた第１コネクタと、筐体側に固定配置されると共に前記第１コネクタと電気的に接続される第２コネクタが設けられた第２基板を具備するフィールド機器に関するものである。
【背景技術】
【０００２】
図３（Ａ）は、表示器が搭載されたフィールド機器の斜視図である。フィールド機器１は、パイプラインにインライン接続される検出器部１０と、電子部品部等を収納する筐体２０よりなる。筐体２０の側壁部には、測定されたプロセスデータ等を表示する表示器３０が取り付けられている。
【０００３】
フィールド機器１の検出器部１０がパイプラインにインライン接続される場合には、パイプラインの配管位置により表示器３０の角度が変化するので、点検者の視認を容易にするために表示器３０の取り付け角度を変更する必要がある。図３（Ｂ）は、時計回りに９０度回転された表示器３０を示す。
【０００４】
表示器３０は、回転可能な第１基板４０に固定されている。第１基板４０は、筐体２０側に固定配置された第２基板５０に対して所定の回転角度を持ってネジＦ１，Ｆ２で取り付けられている。
【０００５】
表示器３０及び第１基板４０の電子回路は、フレキシブルな接続ケーブル６０により第２基板５０側の電子回路に接続され、表示器３０及び第１基板４０の第２基板５０に対する回転取り付けを可能にしている。
【０００６】
フレキシブルな接続ケーブル６０を使用しない構成例を説明する。図４は、従来のフィールド機器のコネクタ構造の構成例を示す斜視図である。図４（Ａ）は、表示器３０及び第１基板４０の表面斜視図、図４（Ａ´）は第１基板４０の裏面斜視図であり、円周端部の９０度毎に４個のメスコネクタＣ１乃至Ｃ４が配置されている。これらコネクタの各ピンは並列接続されている。
【０００７】
図４（Ｂ）は、第２基板５０の表面斜視図、（Ｂ´）は裏面斜視図である。第２基板５０の表面には、円周端部の一箇所にオスコネクタＤが配置され、このオスコネクタＤが、第１基板４０の回転に伴い、第１基板４０の裏面において円周端部に９０度毎に配置された４個のメスコネクタＣ１乃至Ｃ４に選択的に係合する。
【先行技術文献】
【特許文献】
【０００８】
【特許文献１】特開２００５−３００１８６号公報
【発明の概要】
【発明が解決しようとする課題】
【０００９】
従来のフィールド機器の構成では、次のような問題がある。
（１）図３で示した、接続ケーブルによる第１基板と第２基板の接続形態の場合、ケーブル余長のためのスペースが必要であり、小型化が困難である。また、ケーブルを使用するためコスト高の要因となる。
（２）図４で示した４個のコネクタによる接続形態では、９０度毎にコネクタが必要である。通常使用しない３個のコネクタを準備する必要があり、コスト高の要因となる。
【００１０】
本発明の目的は、一対のコネクタで、表示器の回転取り付けを可能としたフィールド機器を実現することにある。
【課題を解決するための手段】
【００１１】
このような課題を達成するために、本発明は次の通りの構成になっている。
（１）表示器が搭載される回転可能な第１基板に設けられた第１コネクタと、筐体側に固定配置されると共に前記第１コネクタと電気的に接続される第２コネクタが設けられた第２基板を具備するフィールド機器において、
前記第１コネクタと前記第２コネクタは、前記第１基板と前記第２基板の中心部において対向配置され、前記第１基板の所定の回転角度に対して同一の電気的な接続関係を維持して接続されることを特徴とするフィールド機器。
【００１２】
（２）前記第１コネクタと前記第２コネクタは、一方がオスコネクタで他方かメスコネクタであることを特徴とする（１）に記載のフィールド機器。
【００１３】
（３）前記第１コネクタと前記第２コネクタは、前記第１基盤の９０度毎の回転に対して同一電気接続されることを特徴とする（１）または（２）に記載のフィールド機器。
【発明の効果】
【００１４】
本発明によれば、回転する第１基板４０と固定された第２基板５０の中心部において、対向配置された一対のコネクタにより、第１基板に搭載された表示器の回転取り付けが可能となる。
【図面の簡単な説明】
【００１５】
【図１】本発明を適用したフィールド機器のコネクタ構造の一実施例を示す平面図である。
【図２】本発明を適用したフィールド機器のコネクタ構造の他の実施例を示す平面図である。
【図３】表示器が搭載されたフィールド機器の斜視図である。
【図４】従来のフィールド機器のコネクタ構造の構成例を示す斜視図である。
【発明を実施するための形態】
【００１６】
以下本発明を、図面を用いて詳細に説明する。図１は、本発明を適用したフィールド機器のコネクタ構造の一実施例を示す平面図である。図３、図４で説明した従来構成と同一要素には同一符号を付して説明を省略する。
【００１７】
図１（Ａ）は、回転配置される第１基板４０の裏面を示し、（Ｂ）はこの裏面と対向して固定配置される第２基板５０の表面を示す。本発明の特徴部は、第１基板４０の裏面中心部に設けられた第１コネクタ１００と、第２基板５０の表面中心部に設けられた第２コネクタ２００が対向配置された構成にある。
【００１８】
第１基板４０の９０度毎の回転に対して第１コネクタ１００と第２コネクタ２００は、同一の電気的な接続関係を維持して接続される。第１コネクタ１００と第２コネクタ２００は、共に四角形の形状を備えている。
【００１９】
第１コネクタ１００の四角形の一辺には、４本のオス側ピン群Ｐが配置されている。対向する第２コネクタ２００の四辺には、第１コネクタ１００のピン群Ｐに係合するメス側ピン群Ｑ１乃至Ｑ４が形成されている。これらメス側ピン群Ｑ１乃至Ｑ４の各ピンは並列接続されている。
【００２０】
このような構成によれば、回転する第１基板４０と固定された第２基板５０の中心部において係合する、対向配置された一対のコネクタにより、第１基板に搭載された表示器の回転取り付けが可能となる。
【００２１】
図２は、本発明を適用したフィールド機器のコネクタ構造の他の実施例を示す平面図である。図１の実施例との相違点は、第１コネクタ１００のピン群Ｐと、これに係合する第２コネクタ２００のピン群Ｑ１乃至Ｑ２の形状にある。
【００２２】
図１の実施例では、第１コネクタ１００のピン群Ｐと、これに係合する第２コネクタ２００のピン群Ｑ１乃至Ｑ２のピン群が直線配列されているが、図２の実施例ではピン群はマトリックス配列とされている。ピン数が多い場合には図２の実施例がコネクタの製造が容易である。
【００２３】
以上説明した図１、図２の実施例では、第１コネクタ１００側をオス、第２コネクタ２００側をメスとして示したが、オスとメスを入れ替えても同様の効果を期待することができる。コネクタの形状は、オスメス嵌合型を例示したがこれに限定されるものではない。
【００２４】
また、表示器３０の回転角度は実用的な９０度の場合を示したがこれに限定されるものではなく、任意の角度に設計することが可能である。
【符号の説明】
【００２５】
１  フィールド機器
１０  検出器部
２０  筐体
３０  表示器
４０  第１基板
５０  第２基板
１００  第１コネクタ
２００  第２コネクタ
【図１】
2012058096.tif 000003
【図２】
2012058096.tif 000004
【図３】
2012058096.tif 000005
【図４】
2012058096.tif 000006